(57)【要約】【課題】発射レール部材につきメンテナンスが容易なパチンコ遊技機を提供する。【解決手段】箱型の整流器本体４１を発射機構板３１に対して上方又は側方に回動可能に軸支すると共に、当該整流器本体４１の背面に発射レール部材２４を固着させた。そして、整流器本体４１を遮閉状態とした際に、発射レール部材２４の先端２８と案内レール部材２０の下端とが近接することにより、発射位置Ｐで打圧された遊技球が発射レール部材２４及び案内レール部材２０を介して遊技領域２１へ到達可能となるようにした。【選択図】図２
2007275306.tif 000002
【特許請求の範囲】
【請求項１】
遊技島に固設される外枠と、
外枠に枢設された本体枠と、
本体枠の前面に軸支されて開閉する前枠扉と、
遮閉された前枠扉の後方位置で本体枠に装着され、かつその盤面上に遊技領域が形成されてなる遊技盤と、
前枠扉の前面に配設された球受け皿と、
球受け皿内の遊技球を遊技盤の下方位置に配置された発射位置に送球する整流器と、
前記発射位置に送球された遊技球を打圧する発射鎚と、
発射鎚によって打圧された遊技球を遊技領域へ案内するレール部材と
を備えたパチンコ遊技機において、
整流器は、
本体枠又は本体枠に固着された固定部材に軸支され、発射位置の正面に位置して該発射位置への送球が可能となる遮閉状態と、発射位置から離間して該発射位置を前方へ露出させる開放状態とに位置変換される整流器本体を備え、
レール部材は、
整流器本体の背面に配設され、かつ当該整流器本体が遮閉状態で、その一端が発射位置に臨む発射レール部材と、遊技盤に配設され、かつその一端が遊技領域に臨む案内レール部材とで構成され、
整流器本体が遮閉状態にあって、発射レール部材の他端と案内レール部材の他端とが近接することにより、発射位置で打圧された遊技球が発射レール部材及び案内レール部材を介して遊技領域へ到達してなることを特徴とするパチンコ遊技機。
【請求項２】
整流器本体の側端に上下方向の支軸が設けられ、当該整流器本体は、該支軸を中心に発射位置に対して側方へ開放するものであることを特徴とする請求項１記載のパチンコ遊技機。
【請求項３】
整流器本体の上端に左右方向の支軸が設けられ、当該整流器本体は、該支軸を中心に発射位置に対して上方へ開放するものであることを特徴とする請求項１記載のパチンコ遊技機。
【発明の詳細な説明】
【技術分野】
【０００１】
本発明は、遊技球を遊技領域へ打ち出して遊技するパチンコ遊技機に関するものであり、特に遊技球を発射位置から遊技領域へ案内するレール部材に関する。
【背景技術】
【０００２】
従来のパチンコ遊技機にあっては、遊技島に固設される矩形状の外枠と、外枠に枢設された本体枠と、本体枠の前面に軸支されて開閉する前枠扉と、遮閉された前枠扉の後方位置で本体枠に装着され、その盤面上に遊技領域が形成されてなる遊技盤と、前枠扉の前面に配設された上受け皿と、上受け皿の下方位置に配置された下受け皿と、上受け皿内の遊技球を遊技盤の下方位置に配置された発射位置へ又は前記下受け皿へ送球する整流器と、この発射位置に送球された遊技球を打圧する発射鎚と、発射鎚によって打圧された遊技球を遊技領域へ案内するレール部材とを備えた構成が一般的である。
【０００３】
ここで、前記レール部材は、特許文献１の図１，５等に示されるように、本体枠に配設された発射ユニット内に取付けられる発射レール部材と、遊技盤面上に取付けられる案内レール部材（外レール部材）とで構成されている。さらに詳述すると、発射レール部材は、ほぼ直線形状であり、右側のレール端が発射位置に臨み、かつ全体が左方に上方傾斜した態様で固設されている。一方、案内レール部材は、全体がほぼＣ字状に湾曲した形状で、下側のレール端が発射レール部材の左側のレール端に近接し、かつ上側のレール端が遊技領域に臨む態様で固設されている。
【０００４】
さらに、発射位置周辺には、整流器を構成する箱型の整流器本体が発射位置の正面に回動可能に配設されている。この整流器本体には遊技球を発射位置に送球する整流器テコが軸支されており、この整流器テコが回動制御されて、上受け皿内の遊技球が発射位置へ適宜送球される構成となっている。そして、発射位置に送球された遊技球は、当該発射ユニット内に配設された発射鎚により打圧され、上記レール部材を介して遊技領域へ到達することとなる。
【０００５】
ところで、上記構成にあって、発射位置周辺のメンテナンス（清掃又は機械調整）を行う場合には、メンテナンス作業者は、まず前枠扉を開放し、それから整流器本体を開放する。そうすると、発射位置周辺が前面に露出することとなって、発射レール部材の清掃、又は発射鎚や整流器等の機械調整等を行うことが可能となる。
【０００６】
【特許文献１】特開２００５−１５２２４７号公報
【発明の開示】
【発明が解決しようとする課題】
【０００７】
しかしながら、上述のように発射位置周辺には、複数の部材又は装置が密集して配設されているため、作業スペースが狭く、また配設態様が複雑であるために清掃箇所が視認できなかったり、メンテナンスを必要とする箇所に清掃器具等が届かなかったりするなどの問題があった。特に、発射レール部材の上面は塵芥が堆積しやすいが、その周辺に種々の部材が配置されているため作業者からは視認しにくく、清掃が困難であった。
【０００８】
そこで本発明は、上記問題を解決することができるパチンコ遊技機を提供することを目的とするものである。
【課題を解決するための手段】
【０００９】
本発明は、遊技島に固設される外枠と、外枠に枢設された本体枠と、本体枠の前面に軸支されて開閉する前枠扉と、遮閉された前枠扉の後方位置で本体枠に装着され、かつその盤面上に遊技領域が形成されてなる遊技盤と、前枠扉の前面に配設された球受け皿と、球受け皿内の遊技球を遊技盤の下方位置に配置された発射位置に送球する整流器と、前記発射位置に送球された遊技球を打圧する発射鎚と、発射鎚によって打圧された遊技球を遊技領域へ案内するレール部材とを備えたパチンコ遊技機において、整流器は、本体枠又は本体枠に固着された固定部材に軸支され、発射位置の正面に位置して該発射位置への送球が可能となる遮閉状態と、発射位置から離間して該発射位置を前方へ露出させる開放状態とに位置変換される整流器本体を備え、レール部材は、整流器本体の背面に配設され、かつ当該整流器本体が遮閉状態で、その一端が発射位置に臨む発射レール部材と、遊技盤に配設され、かつその一端が遊技領域に臨む案内レール部材とで構成され、整流器本体が遮閉状態にあって、発射レール部材の他端と案内レール部材の他端とが近接することにより、発射位置で打圧された遊技球が発射レール部材及び案内レール部材を介して遊技領域へ到達してなることを特徴とするパチンコ遊技機である。
【００１０】
かかる構成にあって、整流器本体の裏面に配設される発射レール部材は、その上面に、遊技球が走行する球走行路が形成されている。また、案内レール部材の上面にも、同様に、遊技球が走行する球走行路が形成されている。そして、整流器本体を遮閉状態とすると、発射レール部材に係る球走行路と案内レール部材に係る球走行路とが適正に連続することとなって、発射位置で打圧された遊技球が遊技領域へ到達可能となり、遊技可能な状態となる。一方、発射位置周辺のメンテナンスを行う場合には、作業者は前枠扉を開放すると共に、整流器本体を回動させて開放状態とする。そうすると、当該整流器本体で隠蔽されていた発射位置が作業者側（すなわち前方）に露出することとなって、作業者によって清掃や機械調整等のメンテナンスが可能となる。さらに本発明にあっては、メンテナンス時において、開放状態の整流器本体に追従して発射レール部材が発射位置から退避するため、従前に比して発射位置周辺が大きく開放されることとなる。したがって、発射位置周辺の視認性が向上すると共に、充分な作業スペースが確保され、例えば発射位置を規定する発射待機球位置決め部材等のメンテナンスが従来よりも容易となる。また、整流器本体を開放した状態でその裏面に配設された発射レール部材を清掃した場合には、当該整流器本体が本体枠に対して前方へ突出状に保持された状態にあるため、その際に掃き出されたゴミ等は本体枠内部に落下せず、ホールの床面側に落下することとなり、清掃の二度手間が解消され、清掃効率が良い。
【００１１】
さらに、整流器本体の側端に上下方向の支軸が設けられ、当該整流器本体は、該支軸を中心に発射位置に対して側方へ開放する構成が提案される。
【００１２】
かかる構成にあっては、メンテナンス時に前枠扉を開放し、なおかつ整流器本体を開放すると、その裏面に配設された発射レール部材が、前枠扉と本体枠との間に立つ作業者と対面することとなる。したがって、作業者の正面に発射レール部材が位置することとなり、発射レール部材の清掃等の作業性が向上するものである。また、発射レール部材の上面を清掃する際、整流器本体の開放角度を変えることで、前記上面のゴミを本体枠の前方へ任意の方向で掃き出すことが可能となる。
【００１３】
また、整流器本体の上端に左右方向の支軸が設けられ、当該整流器本体は、該支軸を中心に発射位置に対して上方へ開放する構成としても良い。
【００１４】
かかる構成にあっては、メンテナンス時に整流器本体を支軸を中心にして回動させて発射位置に対して上方位置で保持すると、その裏面に配設された発射レール部材の上面は、上下方向で反転して下方を向く状態となる。すなわち、整流器本体をかかる状態に保持したまま、発射レール部材の上面を清掃した場合には、除去されたゴミ等がそのまま本体枠に対して前方かつ下方に落下することとなる。したがって、かかる構成とすることにより、意図しない箇所にゴミが再度付着してしまうことがないため、発射レール部材の清掃効率が向上することとなる。なお、かかる構成にあっては、例えば、整流器本体を上方に回動させて発射レール部材の上面を下方に向けることにより該上面のゴミ等を自然落下させることができ、直接レール上面を掃き出すことが不要な簡易な掃除形態を実施することも可能である。
【発明の効果】
【００１５】
本発明に係るパチンコ遊技機は、レール部材を、発射レール部材と案内レール部材とで構成し、発射レール部材は整流器本体の背面に配設され、かつ当該整流器本体が遮閉状態で、その一端が発射位置に臨むものとし、案内レール部材は遊技盤に配設され、かつその一端が遊技領域に臨むものとし、整流器本体が遮閉状態にあって、発射位置で打圧された遊技球が発射レール部材及び案内レール部材を介して遊技領域へ到達する構成としたため、メンテナンスのために整流器本体を開放すると、整流器本体に取付けられた発射レール部材が発射位置から退避するため、従前に比して発射位置周辺が大きく開放され、発射位置周辺の視認性等が向上し、作業者側に露出した箇所の作業効率が向上する効果がある。また、かかる構成は、メンテナンス時において整流器本体が本体枠に対して前方へ突出状に保持された状態となるため、発射レール部材の上面から掃き出されたゴミ等は本体枠内部に落下せず、ホールの床面側に落下することとなり、清掃の二度手間が解消され、清掃効率が良い利点もある。
【００１６】
また、整流器本体を発射位置に対して側方へ開放する構成とした場合は、メンテナンス時に前枠扉を開放し、なおかつ整流器本体を開放すると、その裏面に配設された発射レール部材が、前枠扉と本体枠との間に立つ作業者と対面することとなるため、作業者の正面に発射レール部材が位置し、発射レール部材の清掃等の作業性が向上する効果がある。また、作業者は、整流器本体の開放角度を変えて発射レール部材の上面のゴミを本体枠の前方へ任意の方向で掃き出すことができるため、最も清掃に適した態様に整流器本体を適宜設定して作業を進行でき、清掃負担が軽減されると共に清掃効率が向上する利点がある。
【００１７】
また、整流器本体を発射位置に対して上方へ開放する構成とした場合は、メンテナンス時において、整流器本体の裏面に配設された発射レール部材の上面は、上下方向で反転して下方を向くため、その上面を清掃して除去されたゴミ等がそのまま本体枠に対して前方かつ下方に落下することとなる。したがって、意図しない箇所にゴミが再度付着してしまうことがないため、発射レール部材の清掃効率が向上する効果がある。
【発明を実施するための最良の形態】
【００１８】
<第一実施例>
本実施例におけるパチンコ遊技機１は、図１，２に示されるように、遊技島（図示省略）に起立状に固設される長方形状の外枠２と、この外枠２の前面開口部分を覆う遊技機本体３とで構成され、これらが左端にあるヒンジ部材４を介して開閉可能に枢着されている。
【００１９】
前記遊技機本体３は、板状の本体枠５（図２参照）を備え、この本体枠５が前記ヒンジ部材４を介して外枠２内に枢着されている。さらに、本体枠５の前方には、左側縁がヒンジ部材１０に連結された前枠扉６が当該本体枠５に対して開閉可能に取付けられている。
【００２０】
前枠扉６の中央には、ほぼ円形の開口部８が設けられていると共に、この開口部８には透明板１１が裏面から装着されている。また、図１に示されるように、前枠扉６の前面であって、その最下位置には、遊技球が貯留可能な上受け皿１２（球受け皿）が配設されている。また、上受け皿１２の湾曲した上縁の右端には、後述する球抜きボタン１８が押圧可能に配設されている。
【００２１】
また、前枠扉６の直下には、下受け皿パネル１９が配設されている。そしてこの下受け皿パネル１９の前面中央に、遊技球が貯留可能な下受け皿１３が設けられている。また、下受け皿１３の右横には、回動操作可能な発射レバー１５を備えた発射ハンドル１４が突設されている。
【００２２】
図２に示されるように、本体枠５の中央には、ほぼ矩形状の遊技盤７が脱着可能に配設されている。また、この遊技盤７前面には、遊技盤７の下方位置を起点として案内レール部材２０が湾曲状に配設されている。この案内レール部材２０の上面には、遊技球が走行する球走行路２０ａが形成されている。そして、この案内レール部材２０により区画形成された中央の円形領域を、遊技領域２１としている。この遊技領域２１は、発射ハンドル１４の操作により遊技球が放出されて遊技球が転動すると共に、液晶表示器等で構成される図柄表示装置２２、始動口２３、各種遊技部材、及び遊技釘等が様々に配設されている。かかる構成にあって、前枠扉６が本体枠５に対して遮閉されると（図１参照）、遊技者は、透明板１１を介して遊技盤７の遊技領域２１を視認できる。
【００２３】
また、図２に示されるように、本体枠５の下部であって遊技領域２１の直下には、横長の下部領域９が形成されており、この下部領域９に、発射機構部３０及び整流器３５等が配設されている。一方、前枠扉６の裏面（図８等参照）であって、その遮閉時に本体枠５の下部領域９と対面する部位には、球抜き機構部４０の主要部が配設されている。以下、各構成について順次説明する。
【００２４】
まず、発射機構部３０について説明する。
図３，４に示されるように、発射機構部３０は、本体枠５の下部領域９に配設される発射機構板３１（固定部材）を備えている。そして、図４に示されるように、この発射機構板３１の前面であってそのほぼ中央には、杆状の発射鎚５１が支軸５２を中心に軸支されている。具体的には、支軸５２より下方に先端の打圧部５３が左向きに配置される態様で取付けられている。また、発射機構板３１の裏面には、そのローター軸（図示省略）が前記支軸５２と連繋している発射ソレノイド５５が配設されている。この発射ソレノイド５５は、発射ハンドル１４の発射レバー１５とも連繋しており、遊技者によって発射レバー１５が回動操作されると作動し、ローター軸に固定された発射鎚５１が支軸５２を中心に発射機構板３１前面に沿って往復回動する構成となっている。
【００２５】
また、後述するように、発射機構板３１の前方には、発射レール部材２４が左方に上方傾斜する態様で配置されている（図２，４等参照）。この発射レール部材２４は、図４に示されるように、断面Ｍ字状であり、その上面に形成される凹溝部を球走行路２４ａとしている。なお、この発射レール部材２４の取り付け位置については、本発明の要部に係り、後で詳述する。
【００２６】
また、図４に示されるように、発射機構板３１の前面であって、発射鎚５１の打圧部５３近傍位置には、正面視ほぼ五角形状の発射待機球位置決め部材５６が固着されている。これにより発射レール部材２４の基端２７に遊技球の発射位置Ｐが位置規定されている。かかる構成にあって、発射鎚５１が、発射位置Ｐに打圧部５３が位置する打圧位置、又は発射位置Ｐに対して打圧部５３が退避する退避位置に繰返し位置変換されると、発射位置Ｐに順次送球された遊技球が順次弾発されて、発射レール部材２４の球走行路２４ａ上を走行し、上方へ放出される。
【００２７】
次に、発射位置Ｐに遊技球を送球する整流器３５について説明する。
図３，４に示されるように、発射鎚５１の前方には、整流器３５が配設されている。この整流器３５は、上受け皿１２内の遊技球を前記発射位置Ｐに順次送球すると共に、前記球抜きボタン１８操作時において、前枠扉６にある球抜き機構部４０と連動して上受け皿１２内の遊技球を下受け皿１３へ排出するものである。
【００２８】
さらに詳述すると、整流器３５は、大きさと形状が異なる三つの略直方体状の箱体が左右方向に連結されてなる整流器本体４１を備えている。この箱体の整流器本体４１は、発射機構板３１とほぼ同じ大きさで、かつ後方へ開口していると共に、その上端面４２には、左右方向の支軸４３が突設されている。一方、発射機構板３１の上端には、左右方向に形成された軸孔４５を具備したピロー部４４が螺着されている。そして、このピロー部４４の軸孔４５に前記支軸４３が挿通されて、ピロー部４４に整流器本体４１が上下方向へ回動可能に装着されている。
【００２９】
なお、整流器本体４１にあって、ピロー部４４に垂下し、発射機構板３１に対して閉鎖した状態を遮閉状態（図５ａ参照）とし、支軸４３を中心に上方へ回動されて発射機構板３１の前面が前方へ露出する状態を開放状態（図５ｂ参照）としている。また、整流器本体４１は、図５ａ，ｂに示されるように、整流器本体４１の下端に可撓性の係止杆７５が後方へ突設されている。そして、遮閉状態にあっては、係止杆７５の先端にある爪部７５ａが、発射機構板３１の下端に配設された係止口７６に挿通され、かつ当該爪部７５ａがその口縁と係止して、整流器本体４１が発射機構板３１に固結される。一方、整流器本体４１を開放状態とするときは、係止杆７５を撓ませ、係止口７６の口縁と爪部７５ａとの係合を解除して、整流器本体４１を支軸４３を中心に上方へ回動する。
【００３０】
ところで、整流器本体４１の右側面の下端には、操作口８８が開口しており、作業者はこの操作口８８に指αを挿入して整流器本体４１内の後述する連結部材５４を押し下げて、整流器テコ３４を送球状態とすることにより、整流器本体４１内の残留球を排除することができる（図６ａ参照）。
【００３１】
次に、遊技球の送球を制御する整流器テコ３４について詳述する。
整流器本体４１の裏面中央（すなわち整流器本体４１内）には、図６ａ，ｂに示されるように、整流器テコ３４が前後方向へ回動可能に軸支されている。さらに、この回動機構について詳述すると、整流器テコ３４は、回動中心となるテコ軸３７を備えると共に、このテコ軸３７が整流器本体４１に一体成形されてなる軸受部５７に挿通されている。また、整流器テコ３４の右側端面３４ａからはアーム連係杆５８が側方へ突出され、このアーム連係杆５８の先端に、上下方向に配置された長尺状の整流器アーム５９の下端が係合している。一方、整流器アーム５９の上端には、水平に配置された薄板状の連結部材５４の一端が接続されている。さらに、この連結部材５４の他端には、上下方向のソレノイドバネ４８と、通電を契機に駆動開始する球送りソレノイド４６の支持部４７がそれぞれ接続されている。
【００３２】
かかる構成にあって、所定の制御信号に基づいて球送りソレノイド４６が通電し、駆動開始すると、当該球送りソレノイド４６の直下にある連結部材５４がソレノイドバネ４８の付勢力に抗して上下動し、その上下動により発生した駆動力が整流器アーム５９を介して整流器テコ３４に回転力として伝達され、当該整流器テコ３４が間欠的に往復回動する。なお、このとき整流器テコ３４は、その上面に形成された湾曲凹面３８が上方に向く球受入状態（図７ａ参照）と、この湾曲凹面３８が後方（発射レール部材２４側）に向く送球状態（図７ｂ参照）とに回動変換される。
【００３３】
次に、整流器テコ３４に連通する発射誘導路３６について説明する。
図３，４に示されるように、整流器本体４１の前面中央には、上受け皿１２内の遊技球を流入可能とする上受け皿球受入口６０が前後方向に開口している。さらに、整流器本体４１内には、図６ａ，ｂに示されるように、一端が整流器テコ３４の直上に、他端が前記上受け皿球受入口６０にそれぞれ接続された発射誘導路３６が配設されている。この発射誘導路３６は、上受け皿１２内から流入した遊技球を整流器テコ３４の上面に誘導するものである。具体的には、整流器テコ３４よりも上受け皿球受入口６０の方が上方に配置されており、上受け皿１２内にある複数の遊技球は当該発射誘導路３６内をその自重により一列状に順次送り出されてくる。
【００３４】
そして、図７ａに示されるように、発射誘導路３６により誘導された遊技球は、前記球受入状態の整流器テコ３４に係る湾曲凹面３８内に一旦収容される。次に、そのタイミングで整流器テコ３４が前記送球状態に変換されることにより、図７ｂに示されるように、整流器テコ３４の直後方で発射レール部材２４の上にある発射位置Ｐに遊技球が適正に送球される。そして、かかる送球行程が繰返し実行されることにより、上受け皿１２内の遊技球が順次発射位置Ｐに送球され、発射鎚５１により順次打圧されることとなる。
【００３５】
なお、図６ａ，ｂに示されるように、整流器本体４１内であって、発射誘導路３６の下方には、一端が当該発射誘導路３６に連通し、他端が下受け皿１３に連通する下皿誘導路３２（図１４ｂ参照）に接続された球抜き通路３９が設けられている。この球抜き通路３９は、球抜き機構部４０の一部を構成するものであり、球抜きボタン１８が操作された際に、発射誘導路３６内の遊技球が流入して上受け皿１２内の遊技球を下受け皿１３へ案内する通路である。この発射誘導路３６内の遊技球を球抜き通路３９側へ切り換える構成の詳細は後述する。
【００３６】
次に、前枠扉６に形成された球止め機構について説明する。
図８に示されるように、前枠扉６の裏面であって上受け皿１２の直後方位置には、上受け皿１２内と連通し、かつ遊技球が通過可能な上受け皿球送出口６１が開口している。また、この上受け皿球送出口６１の直上には、一端が前枠扉６裏面に軸支され、ほぼ水平に保持されてなる長尺状の球止め片６２が配設されている。この球止め片６２は一端にある支軸６４を中心にして前枠扉６の裏面に沿って上下に傾動するものである。また、この球止め片６２の先端には、後述する球止め片加圧部４９（図３，４参照）と当接する受圧部６７が設けられていると共に、下端が前枠扉６裏面に係止された上下方向の球止めバネ６５が前記受圧部６７の隣接位置に取付けられている。さらに、球止め片６２のほぼ水平な下縁であって上受け皿球送出口６１の直上位置には、下方に突成されたシャッター舌片６３が設けられている。
【００３７】
かかる構成にあって、球止めバネ６５の付勢力が発生しない定常状態にあっては、図９に示されるように、球止め片６２がほぼ水平に保持され、前記シャッター舌片６３が上受け皿球送出口６１を部分的に遮閉し、当該上受け皿球送出口６１は遊技球が通過不能な不通状態となる。これに対し、図８に示されるように、球止めバネ６５の付勢力に抗して球止め片６２が支軸６４を中心に上方へ傾動すると、この上方傾動に伴いシャッター舌片６３も上方に変位し、上受け皿球送出口６１は遊技球が通過可能に開放されて球通過可能状態となる。ところで、図３，４に示される整流器本体４１の前面であって、上受け皿球受入口６０の側傍には、前方突出した側面視三角形状の球止め片加圧部４９が固着されている。この球止め片加圧部４９は、前枠扉６の遮閉状態で、前記球止め片６２の受圧部６７と当接するものである。
【００３８】
次に、前枠扉６を開放状態から遮閉状態とするまでの過程における球止め片６２の傾動変化等について説明する。
前枠扉６が開放状態にあっては、球止め片６２は、球止めバネ６５の弾縮力に従い、図９に示されるように不通状態にある。一方、前枠扉６を遮閉状態にしようとすると、まず前枠扉６の裏面と本体枠５の下部領域９とが近接し、本体枠５側の球止め片加圧部４９の斜縁６９が前枠扉６側の球止め片６２に係る受圧部６７の下縁６８に当接する。そしてさらに前枠扉６を閉め込むと、受圧部６７の下縁６８が球止め片加圧部４９の斜縁６９を上方へ倣い移動し、球止め片６２が球止めバネ６５の付勢力に抗して球止め片加圧部４９により押し上げられることとなる。そして、前枠扉６が完全に遮閉状態となると、前記下縁６８が斜縁６９を登りきり、上述のようにシャッター舌片６３が上方に変位して上受け皿球送出口６１が不通状態から球通過可能状態となる。
【００３９】
ここで、前枠扉６が遮閉された状態にあっては、整流器本体４１の上受け皿球受入口６０と、前枠扉６の上受け皿球送出口６１とが対置し、これにより上受け皿１２内と整流器本体４１内とが連通状態となって上受け皿１２内の遊技球が上受け皿球送出口６１と上受け皿球受入口６０とを通過して整流器本体４１内に流入可能となる。そして、図１４ａに示されるように、上受け皿１２内の遊技球が、その自重により整流器本体４１内に流入し、発射誘導路３６を介して整流器テコ３４に誘導されることとなる。
【００４０】
一方、遮閉状態の前枠扉６を開放すると、球止め片加圧部４９に係る斜縁６９と受圧部６７の下縁６８とが離間することとなって、球止め片加圧部４９による押上げ作用が解除され、球止め片６２が球止めバネ６５の付勢力に従って下方傾動し、上受け皿球送出口６１はシャッター舌片６３により遮閉されて不通状態となる。このため、開放状態で上受け皿１２内の遊技球が上受け皿球送出口６１からこぼれ落ちることが無い。
【００４１】
次に、球抜き機構部４０について説明する。
この球抜き機構部４０は、遊技者が球抜きボタン１８を押圧操作した場合に、上受け皿１２内の遊技球を下受け皿１３内に流入させるものである。
【００４２】
図８等に示されるように、球抜き機構部４０は、上述の球抜きボタン１８を備えている。この球抜きボタン１８の下端には、ボタン軸７１が前後方向に設けられており、球抜きボタン１８を押圧操作すると、その加圧により球抜きボタン１８がボタン軸７１を中心に傾動し、当該球抜きボタン１８の下縁が下方へ変位する構成となっている。
【００４３】
また、球抜きボタン１８の直下には、縦長でほぼ逆三角形状の球抜きクランク７２が起立状に配設されている。この球抜きクランク７２は、その上端であって前枠扉６における中央寄り位置に前後方向のクランク支軸７３が配設されている。また、外方寄りの側部には、一端が前枠扉６の側縁に係止されたクランクバネ７４が接続されている。そして、このクランクバネ７４の付勢力により、球抜きクランク７２は外側方へ常時付勢されている。そして、球抜きボタン１８の下縁と球抜きクランク７２とは当接しており、前記球抜きボタン１８が遊技者により押圧されると、その下縁が球抜きクランク７２の上面を押圧すると共に、球抜きボタン１８の加圧により球抜きクランク７２がクランクバネ７４の付勢力に抗してクランク支軸７３を中心に傾動し、当該球抜きクランク７２の下端が前枠扉６の中央へ変位する構成となっている。
【００４４】
また、この球抜きクランク７２の下端には、縦長の連結軸用長孔７８が配設されている。さらに、この連結軸用長孔７８の近傍には、平板状の基体８０と基体８０の下端から側方に突出したＬ字腕部８１とで構成される上皿球抜きスライダ７７が配置されている。この上皿球抜きスライダ７７は、左右方向にスライド可能に前枠扉６の裏面に保持されていると共に、前記球抜きクランク７２の連結軸用長孔７８内に、上皿球抜きスライダ７７の基体８０に突成された連結軸７９が挿通されている。
【００４５】
かかる構成にあって、上述のように球抜きボタン１８の操作に基づき球抜きクランク７２が傾動して下端が前枠扉６の中央へ変位すると、図１０に示されるように、連結軸用長孔７８と連結軸７９との係合により上皿球抜きスライダ７７が球抜きクランク７２によって前枠扉６の中央方向へ押し出され、図８中の矢印方向へスライド移動することとなる。これに対し、球抜きボタン１８の押圧操作が解除されると、クランクバネ７４の付勢力に従って、球抜きクランク７２が傾動状態から通常の起立状態となり、これに連結された上皿球抜きスライダ７７も元の位置に引き戻されて定常位置（図８参照）へ復帰する。なお、上皿球抜きスライダ７７のＬ字腕部８１は、後述する整流器球抜きスライダ９０に係止するものである。
【００４６】
以下、球抜き機構部４０の一部を構成する整流器球抜きスライダ９０について説明する。
図３に示されるように、整流器本体４１の上受け皿球受入口６０の直下には、左右方向に長いスライダ用長孔８５が開口している。また、上受け皿球受入口６０の左位置には、左右方向に長い支持長孔８６が開口している。さらに、スライダ用長孔８５の後方対向位置には、当該スライダ用長孔８５とほぼ同形状の支持長孔８７（図１１参照）が対設されている。
【００４７】
一方、整流器本体４１内（すなわち、整流器本体４１裏面側）には、図１１，１２等に示されるような整流器球抜きスライダ９０が配置されている。この整流器球抜きスライダ９０は、水平薄板状の球止め板部９１と、この球止め板部９１の左縁から起立してなる立設部９２とで構成され、全体として縦断面Ｌ形の構造となっている。また、球止め板部９１の前後の端面には、それぞれ横長の摺動凸部９４が突設されている。さらに、前側の端面に突設された摺動凸部９４の前面には、円柱状の受圧軸部９５が前方へ突成されている。
【００４８】
また、前記立設部９２の前面には、摺動軸部９６が突成されていると共に、側端面には、丸棒状の水平支持杆９７が配設されている。そして、この水平支持杆９７にコイル状の付勢バネ９８が外嵌されている。
【００４９】
かかる構成にあって、整流器球抜きスライダ９０は、スライダ用長孔８５に受圧軸部９５が、支持長孔８７に後側の摺動凸部９４が、支持長孔８６内に摺動軸部９６がそれぞれ挿通されて、左右方向にスライド移動可能に整流器本体４１に保持されている。
【００５０】
さらに、図６ａ，ｂに示されるように、発射誘導路３６の左隣には振幅規制壁１０１，１０１が対設され、これら振幅規制壁１０１，１０１間に、整流器球抜きスライダ９０が上述の構成でスライド移動可能に配設されている。さらに、両振幅規制壁１０１，１０１のうち、左側の振幅規制壁１０１には、整流器球抜きスライダ９０の水平支持杆９７が挿通されるフランジ付き挿通口１０２が開口している。そして、フランジ付き挿通口１０２と、整流器球抜きスライダ９０の立設部９２との間に付勢バネ９８が介装されている。
【００５１】
かかる構成にあって、図６ｂに示されるように、整流器球抜きスライダ９０が左方にスライド移動すると、前記フランジ付き挿通口１０２に水平支持杆９７が挿通されると共に、当該フランジ付き挿通口１０２と立設部９２との間で付勢バネ９８が弾縮する。これに対し、図６ａに示されるように、整流器球抜きスライダ９０が右方にスライド移動すると、前記フランジ付き挿通口１０２から水平支持杆９７が抜脱すると共に、付勢バネ９８の弾縮が解除される。
【００５２】
また、整流器球抜きスライダ９０の球止め板部９１は、発射誘導路３６と球抜き通路３９との接続境界に配置されており、そのスライド移動により、発射誘導路３６と球抜き通路３９とを遮断する遮断状態と、両者を連通する連通状態とに位置変換される。具体的には、図６ａに示されるように、整流器球抜きスライダ９０が右方向に配置されると、球止め板部９１の上面が発射誘導路３６の一面を構成して遮断状態となり、一方整流器球抜きスライダ９０が左方向に配置されると、球止め板部９１が発射誘導路３６と球抜き通路３９との接続境界から退避して連通状態となる。
【００５３】
ここで、整流器球抜きスライダ９０のスライド制御は、上述した上皿球抜きスライダ７７を介して行われる。さらに詳述すると、上皿球抜きスライダ７７のＬ字腕部８１先端には、整流器球抜きスライダ９０の受圧軸部９５に当接する加圧凹部８２が設けられている。そして、図１３ａに示されるように、前枠扉６が遮閉状態となると、受圧軸部９５に加圧凹部８２が側方から当接する態様で連繋することとなる（図１３ｂ参照）。
【００５４】
かかる構成にあって、前枠扉６の遮閉状態で球抜きボタン１８が押圧操作されて、上皿球抜きスライダ７７が図１０に示されるようにスライド移動すると、加圧凹部８２が受圧軸部９５を左方向に押し出す（図１３ｃ参照）。そうすると、この押し出し作用に従って整流器球抜きスライダ９０も左方向に移動し、球止め板部９１は発射誘導路３６と球抜き通路３９とを連通状態にする。したがって、図１４ｂに示されるように、上受け皿１２内の遊技球は、上受け皿球送出口６１及び上受け皿球受入口６０を通過し、その後、発射誘導路３６及び球抜き通路３９を通過して下皿誘導路３２を介して下受け皿１３に流下する。なお、整流器球抜きスライダ９０は、付勢バネ９８により常時右方に付勢されており、上皿球抜きスライダ７７の加圧が解除されると、整流器球抜きスライダ９０は右方に復帰し、球抜き通路３９を遮断する遮断状態となる。したがって、球抜きボタン１８が操作されない場合は、発射誘導路３６と球抜き通路３９は遮断された状態となる。
【００５５】
なお、図９に示されるように、球止め片６２の左側端部と上皿球抜きスライダ７７の上部が近接して位置しているため、前枠扉６開放時に球抜きボタン１８を操作しようとしても、かかる開放状態では上方傾動した球止め片６２の左側端部と上皿球抜きスライダ７７の上部とが当接してしまうため、球抜きボタン１８は操作不能となる。
【００５６】
次に、本発明の要部について説明する。
本発明に係る発射レール部材２４は、図４，１５に示されるように、整流器本体４１の背面に固定されている。さらに詳述すると、図１５に示されるように、発射レール部材２４は、その前面を整流器本体４１の裏面に密着させて二つのビス９９，９９により整流器本体４１内に固着されている。なお、発射レール部材２４の先端２８は、整流器本体４１の左上側面に開口した球通過口１０３に臨む位置に配され、基端２７は、整流器本体４１の下方へ突出するように配され、全体として発射レール部材２４は傾斜状に装着されている。
【００５７】
そして、整流器本体４１が遮閉状態となって発射機構板３１に固結されると、発射レール部材２４の基端２７は、発射待機球位置決め部材５６の直下に配されると共に（図４参照）、上述のように全体が左方に上方傾斜する態様で保持され、発射レール部材２４の先端２８と、当該発射レール部材２４に隣接する案内レール部材２０の下端とが球通過口１０３を介して近接する。かかる状態にあっては、発射レール部材２４に係る球走行路２４ａと、案内レール部材２０に係る球走行路２０ａとが、遊技球を遊技領域２１に案内可能に連続することとなる（図２中、矢印参照）。そして、かかる遮閉状態で遊技球が弾発されると、該遊技球は発射レール部材２４の球走行路２４ａを基端２７側から先端２８方向へ走行し、整流器本体４１の球通過口１０３を通過して整流器本体４１外に放出された後、案内レール部材２０の球走行路２０ａを走行して、上方の遊技領域２１に到達する。なお、本発明に係るレール部材は、発射レール部材２４と案内レール部材２０とで構成される。
【００５８】
なお、作業者が発射機構部３０等をメンテナンスするときは、前枠扉６を開放すると共に、整流器本体４１を開放状態として、当該整流器本体４１で隠蔽されていた発射位置Ｐ等を作業者側（すなわち前方）に露出させる。そうすると、作業者は発射機構部３０等の機械調整等を行うことができる。また、整流器本体４１の裏面に装着された発射レール部材２４の上面も清掃することができる。
【００５９】
また、整流器本体４１を発射機構板３１に対してほぼ水平に保持した状態にあっては、発射レール部材２４の上面は側方（後方）を向いた状態となる。この状態で、発射レール部材２４の上面を清掃すると、除去されたゴミ等がホールに落下することとなる（図５ｂ参照）。したがって、本体枠５内にゴミ等が落下してしまうことがない。なお、かかる構成にあって、例えば、整流器本体４１を水平位置よりも上方に回動させると、発射レール部材２４の上面はやや下方に向くこととなり、発射レール部材２４の上面のゴミ等が自然落下する場合もある。
【００６０】
<第二実施例>
本実施例は、整流器本体４１が発射機構板３１に対して側方へ開放される構成である。図１６，１７に示されるように、整流器本体４１の左端には、支持部１１０が突設され、この支持部１１０に上下方向に貫通した支持孔１１２が形成されている。この支持孔１１２には、丸棒状の支軸１１１が挿通されると共に、この支軸１１１が発射機構板３１の左端に配設されたピロー部１１５に嵌挿される。これにより、整流器本体４１が発射機構板３１に対して、左端に位置する上下方向の支軸１１１を中心に側方へ開閉可能となっている。
【００６１】
また、整流器本体４１の右端には、後方へ突出した可撓性の係止片１１６が設けられ、図１８ａ及び図１９ｂに示されるように、整流器本体４１遮閉時に、その先端の爪部１１６ａが発射機構板３１の係止孔１１８に圧入されて当該係止孔１１８の孔縁と係合する構成となっている。これにより、整流器本体４１が発射機構板３１に対して固結されることとなる。一方、整流器本体４１を開放するときは、係止片１１６を撓ませて爪部１１６ａの係合を解除し、図１８ｂ及び図１９ａに示されるように、整流器本体４１を開閉自在とする。
【００６２】
さらに、本実施例においても、発射レール部材２４は、整流器本体４１の裏面に装着されている。かかる構成にあって、整流器本体４１を遮閉状態とすると、発射レール部材２４の球走行路２４ａと、案内レール部材２０の球走行路２０ａとが連続し、遊技球を遊技領域２１まで誘導することが可能となる。
【００６３】
これに対し、作業者がメンテナンス等のために整流器本体４１を開放すると、図１８ｂに示されるように、発射レール部材２４が作業者の正面に移動して、発射レール部材２４が本体枠５側から作業者側に向けて位置する姿勢となるため、作業者と発射レール部材２４とが正対する。このため、発射レール部材２４の上面を全域にわたって視認することが可能となり、作業者は発射レール部材２４の上面を容易に掃除することができる。このように、支軸１１１を左方に設けて前枠扉６の開放方向と整流器本体４１の開放方向とを同一方向とすることにより、前枠扉６と本体枠５との間に立つ作業者と発射レール部材２４とが対面することとなる。したがって、作業箇所の現状を充分に確認しつつ、メンテナンスを行うことができる。
【００６４】
なお、上記構成は、整流器本体４１の左端に支軸１１１が配置された構成であるが、これに限定されず、整流器本体４１の右端に支軸が設けられた構成であっても良い。
【００６５】
また、第一、第二実施例は、整流器本体４１が発射機構板３１に軸支された構成であるが、これに限定されず、本体枠５に適宜軸支することが可能である。
【図面の簡単な説明】
【００６６】
【図１】第一実施例に係るパチンコ遊技機１の外観斜視図である。
【図２】前枠扉６が開放したパチンコ遊技機１の斜視図である。
【図３】整流器本体４１等の斜視図である。
【図４】整流器本体４１等の分解斜視図である。
【図５】ａ）は整流器本体４１の遮閉状態を示す側面図であり、ｂ）は開放状態を示す側面図である。
【図６】ａ）は球送り時における整流器本体４１の縦断正面図であり、ｂ）は球抜き時における整流器本体４１の縦断正面図である。
【図７】ａ）は球受入れ時における整流器テコ３４の図６Ａ−Ａ縦断面図であり、ｂ）は球送り時における整流器テコ３４の図６Ａ−Ａ縦断面図である。
【図８】前枠扉６の裏面図である。
【図９】球止め片６２が下方に傾動した状態における前枠扉６の裏面図である。
【図１０】球抜き操作された際の前枠扉６を示す裏面図である。
【図１１】上皿球抜きスライダ７７と整流器球抜きスライダ９０とを示す斜視図である。
【図１２】上皿球抜きスライダ７７と整流器球抜きスライダ９０との分解斜視図である。
【図１３】前枠扉６の遮閉過程を示す説明図である。
【図１４】ａ）は球送り時における下皿誘導路３２の縦断側面図であり、ｂ）は球抜き時における下皿誘導路３２の縦断側面図である。
【図１５】整流器本体４１の裏面図である。
【図１６】第二実施例に係る整流器本体４１の斜視図である。
【図１７】第二実施例に係る整流器本体４１の分解斜視図である。
【図１８】ａ）は第二実施例に係る整流器本体４１の遮閉状態を示す側面図であり、ｂ）は開放状態を示す側面図である。
【図１９】ａ）は第二実施例に係る整流器本体４１の開放状態を示す平面図であり、ｂ）は遮閉状態を示す平面図である。
【符号の説明】
【００６７】
１  パチンコ遊技機
２  外枠
５  本体枠
６  前枠扉
７  遊技盤
１２  上受け皿（球受け皿）
２０  案内レール部材
２１  遊技領域
２４  発射レール部材
３１  発射機構板（固定部材）
３５  整流器
４１  整流器本体
４３，１１１  支軸
５１  発射鎚
Ｐ  発射位置
【図１】
2007275306.tif 000003
【図２】
2007275306.tif 000004
【図３】
2007275306.tif 000005
【図４】
2007275306.tif 000006
【図５】
2007275306.tif 000007
【図６】
2007275306.tif 000008
【図７】
2007275306.tif 000009
【図８】
2007275306.tif 000010
【図９】
2007275306.tif 000011
【図１０】
2007275306.tif 000012
【図１１】
2007275306.tif 000013
【図１２】
2007275306.tif 000014
【図１３】
2007275306.tif 000015
【図１４】
2007275306.tif 000016
【図１５】
2007275306.tif 000017
【図１６】
2007275306.tif 000018
【図１７】
2007275306.tif 000019
【図１８】
2007275306.tif 000020
【図１９】
2007275306.tif 000021